【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
少なくとも１つのセンサ（２１０）と、前記センサ（２１０）に接続されているプロセッサ（２２０）と、前記プロセッサに接続されている通信ユニット（２３０）とを備えるセキュリティデバイス（２００）を使用して、手荷物品を管理するための方法であって、
前記少なくとも１つのセンサ（２１０）によって、手荷物品の状態を監視すること（Ｓ１０１）と、
前記プロセッサ（２２０）によって、前記手荷物品の前記状態の変更を検出し（Ｓ１０２）、検出された前記状態の変更に基づいて、通知が発行されるべきであるかを判定すること（Ｓ１０３）と、
前記通信ユニット（２３０）によって、前記通知を管理ユニット（３００）へ送信すること（Ｓ１０４）と
を含むことを特徴とする方法。
【請求項２】
前記セキュリティデバイス（２００）は、複数のモードで動作することができ、
前記モードは、アクティブな複数のセンサの組み合わせあるいは選択、評価ルール、及び取るべき動作によって特徴付けられ、
前記通知が発行されるべきであるかどうかを判定すること（Ｓ１０３）は、前記セキュリティデバイス（２００）の現在のモードに依存して実行される
ことを特徴とする請求項１に記載の方法。
【請求項３】
位置情報、位置の変更及び前記セキュリティデバイス（２００）の他のセンサ入力の少なくとも１つに基づいて、及び／あるいは、位置用の評価ルール及び他のセンサ情報の少なくとも一方に基づいて、前記複数のモードの内の１つのモードから別のモードへのモード選択あるいは遷移が開始される
ことを特徴とする請求項２に記載の方法。
【請求項４】
前記通知に応じて、前記管理ユニット（３００）によって送信される命令を受信すること（Ｓ１０５）を更に含む
ことを特徴とする請求項１乃至３のいずれか１項に記載の方法。
【請求項５】
前記命令は、前記検出された状態の変更を無視するための命令、アラームを発するための命令、更なる情報を提供するための命令、及び前記セキュリティデバイス（２００）のモードを変更するための命令の少なくとも１つを含んでいる
ことを特徴とする請求項４に記載の方法。
【請求項６】
手荷物品のためのセキュリティデバイス（２００）であって、
手荷物品の状態を監視するように構成されている少なくとも１つのセンサ（２１０）と、
前記センサ（２１０）に接続されているプロセッサ（２２０）であって、前記手荷物品の前記状態の変更を検出し、検出された前記状態の変更に基づいて、通知が発行されるべきかを判定するように構成されているプロセッサ（２２０）と、
前記プロセッサ（２２０）に接続されている通信ユニット（２３０）であって、前記通知を管理ユニット（３００）へ送信するように構成されている通信ユニット（２３０）と
を備えることを特徴とするセキュリティデバイス（２００）。
【請求項７】
前記通信ユニット（２３０）は、無線通信デバイスを含み、これには、特に、セルラー送信機、及び／あるいはＷＬＡＮ送信機、及び／あるいはブルートゥース送信機がある
ことを特徴とする請求項６に記載のセキュリティデバイス（２００）。
【請求項８】
前記少なくとも１つのセンサ（２１０）は、加速度センサ、イメージセンサ、位置判定センサ、動き検出センサ、超音波センサ、及び電源プラグセンサの少なくとも１つを備える
ことを特徴とする請求項６または７に記載のセキュリティデバイス（２００）。
【請求項９】
前記手荷物品の旅程が記憶されているメモリを更に備える
ことを特徴とする請求項６乃至８のいずれか１項に記載のセキュリティデバイス（２００）。
【請求項１０】
請求項１乃至５のいずれか１項に記載の方法に従って動作するように構成されている
ことを特徴とする請求項６乃至９のいずれか１項に記載のセキュリティデバイス（２００）。
【請求項１１】
請求項６乃至１０のいずれか１項に記載のセキュリティデバイス（２００）を備える手荷物品。
【請求項１２】
手荷物品を管理する方法であって、
前記手荷物品に備えられるセキュリティデバイス（２００）との通信リンクを確立することと、
前記セキュリティデバイス（２００）からの通知を受信することと、
前記通知を評価し、前記通知に応じて、前記セキュリティデバイスに対する命令を生成することと、
前記命令を前記セキュリティデバイス（２００）へ送信することと
を含むこと特徴とする方法。
【請求項１３】
前記命令は、検出された状態の変更を無視するための命令、アラームを発するための命令、更なる情報を提供するための命令、及び前記セキュリティデバイス（２００）のモードを変更するための命令の少なくとも１つを含んでいて、
前記モードは、アクティブな複数のセンサの組み合わせあるいは選択、評価ルール、及び取るべき動作によって特徴付けられている
ことを特徴とする請求項１２に記載の方法。
【請求項１４】
位置情報、位置の変更及び前記セキュリティデバイス（２００）の他のセンサ入力の少なくとも１つに基づいて、及び／あるいは、位置用の評価ルール及び他のセンサ情報の少なくとも一方に基づいて、複数のモードの内の１つのモードから別のモードへのモード選択あるいは遷移が開始される
ことを特徴とする請求項１３に記載の方法。
【請求項１５】
前記手荷物品に対する旅程を記憶し、前記セキュリティデバイス（２００）から受信される位置情報に基づいて、前記旅程を管理することを更に含む
ことを特徴とする請求項１２乃至１４のいずれか１項に記載の方法。
【請求項１６】
手荷物品を管理するための管理ユニット（３００）であって、
手荷物品に備わるセキュリティデバイス（２００）との通信リンクを確立し、前記セキュリティデバイス（２００）から通知を受信し、
前記通知を評価し、前記通知に応じて前記セキュリティデバイス（２００）に対する命令を生成し、
前記命令を前記セキュリティデバイス（２００）へ送信する
ように構成されている
ことを特徴とする管理ユニット（３００）。
【請求項１７】
前記手荷物品の旅程が記憶されているメモリを更に備える
ことを特徴とする請求項１６に記載の管理ユニット（３００）。
【請求項１８】
請求項１２乃至１５のいずれか１項に記載の方法を実行するように構成されている
ことを特徴とする請求項１６または請求項１７に記載の管理ユニット（３００）。
【請求項１９】
前記管理ユニット（３００）は、移動通信デバイス、特に移動電話、によって構成される、あるいは移動通信デバイス、特に移動電話、に構成されている
ことを特徴とする請求項１６乃至１８のいずれか１項に記載の管理ユニット（３００）。
【請求項２０】
手荷物品のためのセキュリティシステムであって、
手荷物品と関連付けられるように構成されている手荷物ユニット（２００）と、
リモートユニット（３００）とを備え、
前記手荷物ユニット（２００）と前記リモートユニット（３００）はそれぞれ、互いに通信リンクを確立する様に構成されている通信ユニット（２３０、３１０）を備え、
前記手荷物ユニット（２００）は、更に、
前記関連付けられている手荷物品の状態を監視するように構成されている少なくとも１つのセンサ（２１０）と、
前記センサに接続されているプロセッサ（２２０）であって、前記手荷物品の前記状態の変更を検出し、検出された前記状態の変更に基づいて、通知が発行されるべきであるかを判定するように構成されているプロセッサ（２２０）と
を備え、
前記通信ユニット（２３０）は、前記プロセッサに接続され、及び、前記通知を前記リモートユニット（３００）へ送信するように構成されている
ことを特徴とするセキュリティシステム。
【請求項２１】
前記手荷物ユニット（２００）は、請求項６乃至１０のいずれか１項に記載のセキュリティデバイス（２００）を備える、あるいは、請求項６乃至１０のいずれか１項に記載のセキュリティデバイス（２００）によって構成される
ことを特徴とする請求項２０に記載のセキュリティシステム。
【請求項２２】
前記リモートユニット（３００）は、請求項１６乃至１９のいずれか１項に記載の管理ユニット（３００）を備える、あるいは、請求項１６乃至１９のいずれか１項に記載の管理ユニット（３００）によって構成される
ことを特徴とする請求項２０または２１に記載のセキュリティシステム。
【請求項２３】
プロセッサによって実行される場合に、請求項１乃至５、及び、請求項１２乃至１５のいずれか１項に記載の方法を実行することを特徴とするコンピュータプログラム。